(57)【要約】【課題】ユーザが面倒な操作を行うことなく画像情報と文字情報の視認性を上げることが可能な「放送情報表示システム、放送情報表示装置および放送情報の表示割当方法」を提供する。【解決手段】車載機器１０と携帯型ＤＴＶビューア２０との間で通信を行い、車載機器１０が備える第１の表示部および携帯型ＤＴＶビューア２０が備える第２の表示部の画面サイズを確認して、確認した画面サイズに応じて、第１の表示部および第２の表示部の一方に画像情報を表示させ、他方に文字情報を表示させることにより、機器間の通信によって確認された画面サイズに応じて表示情報の割り当てが自動的に行われ、画像情報と文字情報とが別個の表示部に画面いっぱいに大きく表示されるようにする。【選択図】        図４
2008099029.tif 000002
【特許請求の範囲】
【請求項１】
第１の表示部を有する第１の通信機器と、第２の表示部を有する第２の通信機器とを備え、上記第１の通信機器および上記第２の通信機器の少なくとも一方にて受信した放送波に含まれる画像情報および文字情報を上記第１の表示部および上記第２の表示部に表示する放送情報表示システムであって、
上記第１の通信機器および上記第２の通信機器の間で通信し、上記第１の表示部および上記第２の表示部の画面サイズを確認する画面サイズ確認手段と、
上記画面サイズ確認手段で確認された画面サイズに応じて、上記第１の表示部および上記第２の表示部の一方に上記画像情報を表示させ、他方に上記文字情報を表示させるよう制御する表示制御手段とを備えたことを特徴とする放送情報表示システム。
【請求項２】
上記第１の通信機器および上記第２の通信機器は共に上記放送波を受信するチューナを備えており、
上記表示制御手段は、上記第１の通信機器が備えるチューナで受信した放送波に含まれる画像情報および文字情報の一方を上記第１の表示部に表示させ、上記第２の通信機器が備えるチューナで受信した放送波に含まれる画像情報および文字情報の他方を上記第２の表示部に表示させるよう制御することを特徴とする請求項１に記載の放送情報表示システム。
【請求項３】
上記第１の通信機器においてのみ上記放送波を受信するチューナを備えており、
上記表示制御手段は、上記チューナで受信した放送波に含まれる画像情報および文字情報の一方を上記第１の表示部に表示させ、他方を上記第２の通信機器に送信して上記第２の表示部に表示させるよう制御することを特徴とする請求項１に記載の放送情報表示システム。
【請求項４】
上記表示制御手段は、上記第１の表示部および上記第２の表示部のうち画面サイズが大きい方に上記画像情報を表示させ、画面サイズが小さい方に上記文字情報を表示させるよう制御することを特徴とする請求項１〜３の何れか１項に記載の放送情報表示システム。
【請求項５】
上記第１の通信機器および上記第２の通信機器の間で通信し、上記第１の通信機器が備えるチューナで受信中のチャンネルおよび上記第２の通信機器が備えるチューナで受信中のチャンネルを確認する受信チャンネル確認手段と、
上記受信チャンネル確認手段で確認された双方の受信チャンネルが同じでないときに、双方の受信チャンネルが同じとなるようチャンネルの変更を制御するチャンネル制御手段とを備えたことを特徴とする請求項２に記載の放送情報表示システム。
【請求項６】
放送波に含まれる画像情報および文字情報の少なくとも一方を第１の表示部に表示する放送情報表示装置であって、
上記放送波を受信するチューナと、
無線または有線で接続された他の通信機器との間で通信し、上記第１の表示部および上記他の通信機器が備える第２の表示部の画面サイズを確認する画面サイズ確認手段と、
上記画面サイズ確認手段で確認された画面サイズに応じて、上記チューナで受信した放送波に含まれる画像情報および文字情報の一方を上記第１の表示部に表示させるよう制御する表示制御手段とを備えたことを特徴とする放送情報表示装置。
【請求項７】
上記表示制御手段は、上記画面サイズ確認手段で確認された画面サイズに応じて、上記チューナで受信した放送波に含まれる画像情報および文字情報の一方を上記第１の表示部に表示させ、他方を上記他の通信機器が備える上記第２の表示部に表示させるよう制御することを特徴とする請求項６に記載の放送情報表示装置。
【請求項８】
上記他の通信機器との間で通信し、自身が備えるチューナで受信中のチャンネルおよび上記他の通信機器が備えるチューナで受信中のチャンネルを確認する受信チャンネル確認手段と、
上記受信チャンネル確認手段で確認された双方の受信チャンネルが同じでないときに、双方の受信チャンネルが同じとなるようチャンネルの変更を制御するチャンネル制御手段とを備えたことを特徴とする請求項６に記載の放送情報表示装置。
【請求項９】
放送波に含まれる画像情報および文字情報の少なくとも一方を表示部に表示する放送情報表示装置であって、
無線または有線で接続された他の通信機器との間で通信し、上記表示部の画面サイズを上記他の通信機器に通知する画面サイズ通知手段と、
上記画面サイズ通知手段により画面サイズを通知したことに応答して上記他の通信機器から送られてくる指示に従って、上記画像情報および文字情報の一方を上記表示部に表示させるよう制御する表示制御手段とを備えたことを特徴とする放送情報表示装置。
【請求項１０】
第１の表示部を有する第１の通信機器と、第２の表示部を有する第２の通信機器とを備え、上記第１の通信機器および上記第２の通信機器の少なくとも一方にて受信した放送波に含まれる画像情報および文字情報を上記第１の表示部および上記第２の表示部に表示する放送情報表示システムにおいて、
上記第１の通信機器および上記第２の通信機器の間で通信し、上記第１の表示部および上記第２の表示部の画面サイズを確認する第１のステップと、
上記第１のステップで確認された画面サイズに応じて、上記第１の表示部および上記第２の表示部の一方に上記画像情報を表示させ、他方に上記文字情報を表示させるよう制御する第２のステップとを有することを特徴とする放送情報の表示割当方法。
【発明の詳細な説明】
【技術分野】
【０００１】
本発明は、放送情報表示システム、放送情報表示装置および放送情報の表示割当方法に関し、特に、画像情報と文字情報とを含む放送サービスをユーザに提供する機能を備えた放送情報表示システムに用いて好適なものである。
【背景技術】
【０００２】
近年、地上波テレビ放送のデジタル化が進められており、２０１１年には全国で地上波デジタル放送が実施され、アナログ波を停波する予定となっている。また、デジタル化と共に多チャンネル化が進み、それに伴い、チャンネル毎に提供される番組情報の内容も多種多様化が進んでいる。かかる多チャンネルのデジタル放送サービスの中には、通常のテレビ番組情報など画像情報を主として提供する放送サービスの他に、ニュースや電子新聞など文字情報を主として提供する放送サービスが存在する。
【０００３】
従来のデジタル放送受信機においては、様々な放送サービスの中からユーザ選択に基づいて受信した放送サービスに係る情報を、当該放送受信機のディスプレイ（表示部）を介してユーザに提供している。このとき、画像情報を主とした放送サービスと文字情報を主とした放送サービスとを同時に提供する場合、従来の技術では、ディスプレイ画面を２つの領域に分割して各々の領域にそれぞれ対応する情報（画像情報、文字情報）を表示していた。
【０００４】
この場合、デジタル放送受信機が家庭用のものであれば、そのディスプレイ画面は比較的大きいため、特に問題は生じない。しかしながら、デジタル放送受信機が車載用のものであれば、そのディスプレイ画面は大きいものでも８インチ程度であり、比較的小さいため、ディスプレイ画面を２分割して表示を行うと、画像も文字も小さくなり、ユーザにとっては見づらい画面となってしまう。つまり、表示された情報に対する視認性が低下するといった問題が生じる。
【０００５】
これに対して、放送情報表示システムにおいて２つの表示部を備え、画像情報と文字情報とを同時にユーザに提供する際に、画像情報と文字情報とを別個の表示部に表示するようにした技術が提供されている（例えば、特許文献１参照）。この特許文献１では、画像情報を提供する放送サービスの選択に係る操作指令があったときに当該画像情報を一方の表示部に転送するよう制御し、文字情報を提供する放送サービスの選択に係る操作指令があったときに当該文字情報を他方の表示部に転送するよう制御する。
【特許文献１】特開２００３−２２８７９４号公報
【発明の開示】
【発明が解決しようとする課題】
【０００６】
しかしながら、上記特許文献１に記載の従来技術では、画像情報と文字情報とを別個の表示部に表示させるために、操作部を用いた手動による指示が必要であり、その操作が面倒であるという問題があった。
【０００７】
本発明は、このような問題を解決するために成されたものであり、ユーザが面倒な操作を行うことなく、画像情報と文字情報とを別個の表示部に表示させて両情報の視認性を上げることができるようにすることを目的とする。
【課題を解決するための手段】
【０００８】
上記した課題を解決するために、本発明では、第１の通信機器と第２の通信機器との間で通信を行い、第１の通信機器が備える第１の表示部および第２の通信機器が備える第２の表示部の画面サイズを確認する。そして、確認した画面サイズに応じて、第１の表示部および第２の表示部の一方に画像情報を表示させ、他方に文字情報を表示させるようにしている。
【発明の効果】
【０００９】
上記のように構成した本発明によれば、画像情報と文字情報とが別個の表示部に表示されるので、画像情報と文字情報の表示が小さくならず、両情報の視認性を上げることができる。しかも、通信機器間の通信によって確認された画面サイズに応じて表示情報の割り当てが自動的に行われるので、ユーザが面倒な操作を行う必要もなく、ユーザの利便性を向上させることができる。
【発明を実施するための最良の形態】
【００１０】
（第１の実施形態）
以下、本発明の一実施形態を図面に基づいて説明する。図１は、第１の実施形態による放送情報表示システム１００の概略構成例を示す図である。図１に示すように、第１の実施形態による放送情報表示システム１００は、第１の表示部を有する第１の通信機器１０（本発明の放送情報表示装置に相当）と、第２の表示部を有する第２の通信機器２０（本発明の放送情報表示装置に相当）とを備えている。
【００１１】
第１の通信機器１０は、例えば地上波デジタル放送の放送波を受信するデジタル放送受信機の機能を備えた車載機器である。この車載機器１０が備える第１の表示部は、例えば８００×４８０ドットのＷＶＧＡ（Wide Video Graphics Array）サイズを有するものである。
【００１２】
第２の通信機器２０は、例えば地上波デジタル放送の放送波を受信するデジタル放送受信機の機能を備えた携帯型ＤＴＶ（Digital Television）ビューアである。この携帯型ＤＴＶビューア２０が備える第２の表示部は、例えば３２０×２４０ドットのＱＶＧＡ（Quarter Video Graphics Array）サイズを有するものである。
【００１３】
車載機器１０と携帯型ＤＴＶビューア２０との間は、例えばＵＳＢ（Universal Serial Bus）等の有線、またはBluetoothやＷｉＦｉ（Wireless Fidelity）等の無線にて接続することが可能であり、相互に情報をやり取りすることができるようになっている。
【００１４】
図２は、車載機器１０の内部構成例を示すブロック図である。図２に示すように、第１の実施形態による車載機器１０は、デジタル放送受信機１１、アンテナ１２、制御部１３、オーディオアンプ１４、スピーカ１５、第１の表示部（ディスプレイ装置）１６および通信部１７を備えて構成されている。デジタル放送受信機１１、制御部１３、第１の表示部１６および通信部１７は、互いに協働するように共通の信号線（システムバス１８）を介して接続されており、これによって相互に情報の送受信が行えるようになっている。
【００１５】
図３は、携帯型ＤＴＶビューア２０の内部構成例を示すブロック図である。図３に示すように、第１の実施形態による携帯型ＤＴＶビューア２０は、デジタル放送受信機２１、アンテナ２２、制御部２３、オーディオアンプ２４、スピーカ２５、第２の表示部（ディスプレイ装置）２６および通信部２７を備えて構成されている。デジタル放送受信機２１、制御部２３、第２の表示部２６および通信部２７は、互いに協働するように共通の信号線（システムバス２８）を介して接続されており、これによって相互に情報の送受信が行えるようになっている。
【００１６】
図２において、車載機器１０が備えるデジタル放送受信機１１は、チューナ部１１ａ、デコード部１１ｂおよびＤ／Ａ変換器１１ｃを備えて構成されている。チューナ部１１ａは、制御部１３からの制御に基づいて、アンテナ１２を介して受信した各チャンネルの放送波の中から、選択されたチャンネルの放送波を受信する機能を有している。
【００１７】
デコード部１１ｂはデコーダＬＳＩにより構成され、基本的には、制御部１３から供給される制御データに基づいて、チューナ部１１ａを通して選択出力されたチャンネルのデジタル信号から変調信号成分を取り出し、この変調信号成分を復調してデジタルデータ（画像データ、文字データ、音声データ）を出力する機能を有している。
【００１８】
Ｄ／Ａ変換器１１ｃは、デコード部１１ｂから出力されたデジタルの音声データをアナログの音声信号に変換するためのものである。このＤ／Ａ変換器１１ｃから出力されたアナログの音声信号は、オーディオアンプ１４を通して増幅された後、スピーカ１５を介してユーザに音声情報として受聴される。
【００１９】
制御部１３はマイクロコンピュータ等により構成され、デジタル放送受信機１１、第１の表示部１６および通信部１７の動作を制御する。制御部１３はその機能構成として、画面サイズ保持部１３ａ、画面サイズ確認部１３ｂおよび表示制御部１３ｃを備えている。画面サイズ保持部１３ａは、第１の表示部１６の画面サイズ（ＷＶＧＡ）に関する情報を保持している。
【００２０】
画面サイズ確認部１３ｂは、車載機器１０が備えている第１の表示部１６の画面サイズを、画面サイズ保持部１３ａの情報を参照して確認する。また、画面サイズ確認部１３ｂは、通信部１７を通じて携帯型ＤＴＶビューア２０との間で通信し、携帯型ＤＴＶビューア２０が備えている第２の表示部２６の画面サイズを確認する。
【００２１】
表示制御部１３ｃは、画面サイズ確認部１３ｂで確認された画面サイズに応じて、車載機器１０が備える第１の表示部１６および携帯型ＤＴＶビューア２０が備える第２の表示部２６の一方に画像情報を表示させ、他方に文字情報を表示させるよう制御する。例えば、表示制御部１３ｃは、画面サイズが大きい方の表示部に画像情報を表示させ、画面サイズが小さい方の表示部に文字情報を表示させるよう制御する。
【００２２】
ここでは、車載機器１０が備える第１の表示部１６の画面サイズはＷＶＧＡ、携帯型ＤＴＶビューア２０が備える第２の表示部２６の画面サイズはＱＶＧＡであり、第１の表示部１６の方が第２の表示部２６よりも画面サイズが大きい。そこで、表示制御部１３ｃは、デコード部１１ｂに対して、画像データを第１の表示部１６に転送するよう制御する。また表示制御部１３ｃは、第２の表示部２６に文字情報を表示させることを指示するためのコマンドを、通信部１７を通じて携帯型ＤＴＶビューア２０に送信する。
【００２３】
一方、図３において携帯型ＤＴＶビューア２０が備えるデジタル放送受信機２１は、チューナ部２１ａ、デコード部２１ｂおよびＤ／Ａ変換器２１ｃを備えて構成されている。チューナ部２１ａは、制御部２３からの制御に基づいて、アンテナ２２を介して受信した各チャンネルの放送波の中から、選択されたチャンネルの放送波を受信する機能を有している。
【００２４】
デコード部２１ｂはデコーダＬＳＩにより構成され、基本的には、制御部２３から供給される制御データに基づいて、チューナ部２１ａを通して選択出力されたチャンネルのデジタル信号から変調信号成分を取り出し、この変調信号成分を復調してデジタルデータ（画像データ、文字データ、音声データ）を出力する機能を有している。
【００２５】
Ｄ／Ａ変換器２１ｃは、デコード部２１ｂから出力されたデジタルの音声データをアナログの音声信号に変換するためのものである。このＤ／Ａ変換器２１ｃから出力されたアナログの音声信号は、オーディオアンプ２４を通して増幅された後、スピーカ２５を介してユーザに音声情報として受聴される。
【００２６】
制御部２３はマイクロコンピュータ等により構成され、デジタル放送受信機２１、第２の表示部２６および通信部２７の動作を制御する。制御部２３はその機能構成として、画面サイズ保持部２３ａ、画面サイズ通知部２３ｂおよび表示制御部２３ｃを備えている。画面サイズ保持部２３ａは、第２の表示部２６の画面サイズ（ＱＶＧＡ）に関する情報を保持している。
【００２７】
画面サイズ通知部１３ｂは、車載機器１０が備えている画面サイズ確認部１３ｂからの問い合わせに応答して、第２の表示部２６の画面サイズを、通信部２７を介して車載機器１０に通知する。表示制御部２３ｃは、画像情報および文字情報の一方を第２の表示部２６に表示させるよう制御する。ここでは、車載機器１０の表示制御部１３ｃから送られてくるコマンドに応じて、デコード部２１ｂに対して、文字データを第２の表示部２６に転送するよう制御する。
【００２８】
以上の説明から明らかなように、第１の実施形態では、車載機器１０が備えるチューナ部１１ａで受信した放送波に含まれる画像データに基づいて第１の表示部１６に画像情報を表示させ、携帯型ＤＴＶビューア２０が備えるチューナ部２１ａで受信した放送波に含まれる文字データに基づいて第２の表示部２６に画像情報を表示させるよう制御している。
【００２９】
図４は、第１の実施形態による放送情報表示システム１００の動作例を示すフローチャートである。図４において、車載機器１０の画面サイズ確認部１３ｂは、通信部１７を通じて携帯型ＤＴＶビューア２０に接続確認の問い合わせを行う（ステップＳ１）。車載機器１０に対して携帯型ＤＴＶビューア２０が有線または無線で接続されていれば、携帯型ＤＴＶビューア２０からそのデバイスＩＤが車載機器１０に返されてくる（ステップＳ２）。画面サイズ確認部１３ｂは、このデバイスＩＤを取得することで、車載機器１０に携帯型ＤＴＶビューア２０が接続されていることを認識する（ステップＳ３）。
【００３０】
携帯型ＤＴＶビューア２０の接続を確認したら、画面サイズ確認部１３ｂは次に、通信部１７を通じて携帯型ＤＴＶビューア２０に画面サイズの問い合わせを行う（ステップＳ４）。これに応じて携帯型ＤＴＶビューア２０の画面サイズ通信部２３ｂは、第２の表示部２６の画面サイズがＱＶＧＡであることを、通信部２７を通じて車載機器１０に通知する（ステップＳ５）。
【００３１】
画面サイズ確認部１３ｂは、以上のようにして携帯型ＤＴＶビューア２０から取得した第２の表示部２６の画面サイズ（ＱＶＧＡ）と、画面サイズ保持部１３ａを参照して取得した第１の表示部１６の画面サイズ（ＷＶＧＡ）とを表示制御部１３ｃに通知する。表示制御部１３ｃは、これらの画面サイズを比較して、第１の表示部１６と第２の表示部２６のどちらに画像情報および文字情報を表示させるかの判定を行う（ステップＳ６）。
【００３２】
ここでは、第１の表示部１６の方が第２の表示部２６よりも画面サイズが大きいので、表示制御部１３ｃは、デコード部１１ｂに対して、画像データを第１の表示部１６に転送するよう制御することにより、第１の表示部１６に画像情報を表示させる（ステップＳ７）。
【００３３】
また、表示制御部１３ｃは、第２の表示部２６に文字情報を表示させることを指示するためのコマンドを、通信部１７を通じて携帯型ＤＴＶビューア２０に送信する（ステップＳ８）。このコマンドを受信した携帯型ＤＴＶビューア２０では表示制御部２３ｃが、デコード部２１ｂに対して、文字データを第２の表示部２６に転送するよう制御することにより、第２の表示部２６に文字情報を表示させる（ステップＳ９）。
【００３４】
以上詳しく説明したように、第１の実施形態では、車載機器１０が通信ホストとなって携帯型ＤＴＶビューア２０が備える第２の表示部２６の画面サイズと自身が備える第１の表示部１６の画面サイズとを確認し、確認した画面サイズに応じて、画面サイズが大きい方の第１の表示部１６に画像情報を表示させ、画面サイズが小さい方の第２の表示部２６に文字情報を表示させるようにしている。
【００３５】
これにより、画像情報と文字情報とが車載機器１０および携帯型ＤＴＶビューア２０の表示部に個別に表示されるので、それぞれの情報を画面サイズいっぱいに大きく表示することができる。よって、画像情報と文字情報の表示が小さくならず、両情報の視認性を向上させることができる。しかも、通信によって確認された画面サイズに応じて表示情報の割り当てが自動的に行われるので、ユーザが表示の割り当てのために面倒な操作を行う必要もなく、ユーザの利便性を向上させることもできる。
【００３６】
なお、上記第１の実施形態では、画面サイズの確認を車載機器１０で行い、その結果に応じて、文字情報を表示させるためのコマンドを携帯型ＤＴＶビューア２０に送信する例について説明したが、これに限定されない。例えば、車載機器１０および携帯型ＤＴＶビューア２０が第１の表示部１６の画面サイズと第２の表示部２６の画面サイズを相互に確認し、その結果に応じて車載機器１０および携帯型ＤＴＶビューア２０のそれぞれが表示の制御を行うようにしても良い。
【００３７】
すなわち、車載機器１０の画面サイズ確認部１３ｂにおいて、第１の表示部１６および第２の表示部２６の画面サイズを確認し、表示制御部１３ｃがデコード部１１ｂに対して、画像データを第１の表示部１６に転送するよう制御することにより、第１の表示部１６に画像情報を表示させる。一方、携帯型ＤＴＶビューア２０にも画面サイズ確認部を設け、第１の表示部１６および第２の表示部２６の画面サイズを確認する。そして、その確認結果に応じて表示制御部２３ｃが、デコード部２１ｂに対して、文字データを第２の表示部２６に転送するよう制御することにより、第２の表示部２６に文字情報を表示させる。
【００３８】
（第２の実施形態）
次に、本発明の第２の実施形態を図面に基づいて説明する。図５は、第２の実施形態による放送情報表示システム２００の概略構成例を示す図である。図５に示すように、第２の実施形態による放送情報表示システム２００は、第１の表示部を有する車載機器３０と、第２の表示部を有する携帯型ＤＴＶビューア４０とを備えている。車載機器３０と携帯型ＤＴＶビューア４０との間は、例えばＵＳＢ等の有線、またはBluetoothやＷｉＦｉ等の無線にて接続することが可能であり、相互に情報をやり取りすることができるようになっている。
【００３９】
図６は、車載機器３０の内部構成例を示すブロック図である。なお、この図６において、図２に示した符号と同一の符号を付したものは同一の機能を有するものであるので、ここでは重複する説明を省略する。図６に示すように、第２の実施形態による車載機器３０は、デジタル放送受信機１１、アンテナ１２、制御部３３、オーディオアンプ１４、スピーカ１５、第１の表示部１６および通信部１７を備えて構成されている。デジタル放送受信機１１、制御部３３、第１の表示部１６および通信部１７は、互いに協働するように共通のシステムバス１８を介して接続されており、相互に情報の送受信が行えるようになっている。
【００４０】
図７は、携帯型ＤＴＶビューア４０の内部構成例を示すブロック図である。なお、この図７において、図３に示した符号と同一の符号を付したものは同一の機能を有するものであるので、ここでは重複する説明を省略する。図７に示すように、第２の実施形態による携帯型ＤＴＶビューア４０は、制御部４３、データ処理部４４、第２の表示部２６および通信部２７を備えて構成されている。制御部４３、データ処理部４４、第２の表示部２６および通信部２７は、互いに協働するように共通のシステムバス２８を介して接続されており、これによって相互に情報の送受信が行えるようになっている。
【００４１】
図６において、車載機器３０が備える制御部３３はマイクロコンピュータ等により構成され、デジタル放送受信機１１、第１の表示部１６および通信部１７の動作を制御する。制御部３３はその機能構成として、画面サイズ保持部１３ａ、画面サイズ確認部１３ｂおよび表示制御部３３ｃを備えている。
【００４２】
表示制御部３３ｃは、画面サイズ確認部１３ｂで確認された画面サイズに応じて、車載機器３０が備える第１の表示部１６および携帯型ＤＴＶビューア４０が備える第２の表示部２６のうち、画面サイズが大きい方の表示部に画像情報を表示させ、画面サイズが小さい方の表示部に文字情報を表示させるよう制御する。
【００４３】
第２の実施形態では、表示制御部３３ｃは、デコード部１１ｂに対して、画像データを第１の表示部１６に転送するよう制御することにより、画像情報を第１の表示部１６に表示させる。また表示制御部３３ｃは、デコード部１１ｂに対して、文字データを通信部１７に転送するよう制御することにより、文字データを携帯型ＤＴＶビューア４０に送信する。これと同時に表示制御部３３ｃは、第２の表示部２６に文字情報を表示させることを指示するためのコマンドを、通信部１７を通じて携帯型ＤＴＶビューア４０に送信する。
【００４４】
一方、図７において携帯型ＤＴＶビューア４０が備える制御部４３はマイクロコンピュータ等により構成され、データ処理部４４、第２の表示部２６および通信部２７の動作を制御する。制御部４３はその機能構成として、画面サイズ保持部２３ａ、画面サイズ通知部２３ｂおよび表示制御部４３ｃを備えている。
【００４５】
表示制御部４３ｃは、画像情報および文字情報の一方を第２の表示部２６に表示させるよう制御する。ここでは、車載機器３０の表示制御部３３ｃから送られてくるコマンドに応じて、データ処理部４４に対して、車載機器３０から送られてくる文字データを第２の表示部２６に転送するよう制御することにより、第２の表示部２６に文字情報を表示させる。
【００４６】
以上の説明から明らかなように、第２の実施形態では、車載機器３０が備えるチューナ部１１ａで受信した放送波に含まれる画像データに基づいて第１の表示部１６に画像情報を表示させ、同じく車載機器１０のチューナ部１１ａで受信した放送波に含まれる文字データを携帯型ＤＴＶビューア４０に送信して第２の表示部２６に文字情報を表示させるよう制御している。
【００４７】
図８は、第２の実施形態による放送情報表示システム２００の動作例を示すフローチャートである。図８において、車載機器３０の画面サイズ確認部１３ｂは、通信部１７を通じて携帯型ＤＴＶビューア４０に接続確認の問い合わせを行う（ステップＳ１１）。車載機器３０に対して携帯型ＤＴＶビューア４０が有線または無線で接続されていれば、携帯型ＤＴＶビューア４０からそのデバイスＩＤが車載機器３０に返されてくる（ステップＳ１２）。画面サイズ確認部１３ｂは、このデバイスＩＤを取得することで、車載機器３０に携帯型ＤＴＶビューア４０が接続されていることを認識する（ステップＳ１３）。
【００４８】
携帯型ＤＴＶビューア４０の接続を確認したら、画面サイズ確認部１３ｂは次に、通信部１７を通じて携帯型ＤＴＶビューア４０に画面サイズの問い合わせを行う（ステップＳ１４）。これに応じて携帯型ＤＴＶビューア４０の画面サイズ通信部２３ｂは、第２の表示部２６の画面サイズがＱＶＧＡであることを、通信部２７を通じて車載機器３０に通知する（ステップＳ１５）。
【００４９】
画面サイズ確認部１３ｂは、以上のようにして携帯型ＤＴＶビューア４０から取得した第２の表示部２６の画面サイズ（ＱＶＧＡ）と、画面サイズ保持部１３ａを参照して取得した第１の表示部１６の画面サイズ（ＷＶＧＡ）とを表示制御部３３ｃに通知する。表示制御部３３ｃは、これらの画面サイズを比較して、第１の表示部１６と第２の表示部２６のどちらに画像情報および文字情報を表示させるかの判定を行う（ステップＳ１６）。
【００５０】
ここでは、第１の表示部１６の方が第２の表示部２６よりも画面サイズが大きいので、表示制御部３３ｃは、デコード部１１ｂに対して、画像データを第１の表示部１６に転送するよう制御することにより、第１の表示部１６に画像情報を表示させる（ステップＳ１７）。
【００５１】
また、表示制御部３３ｃは、デコード部１１ｂに対して、文字データを通信部１７に転送するよう制御し、当該文字データを携帯型ＤＴＶビューア４０に送信する。また、第２の表示部２６に文字情報を表示させることを指示するためのコマンドを、通信部１７を通じて携帯型ＤＴＶビューア４０に送信する（ステップＳ１８）。
【００５２】
文字データとコマンドを受信した携帯型ＤＴＶビューア４０では、表示制御部４３ｃが、データ処理部４４に対して、車載機器３０から受信した文字データを第２の表示部２６に転送するよう制御することにより、第２の表示部２６に文字情報を表示させる（ステップＳ１９）。
【００５３】
以上詳しく説明したように、第２の実施形態では、車載機器３０が通信ホストとなって携帯型ＤＴＶビューア４０が備える第２の表示部２６の画面サイズと自身が備える第１の表示部１６の画面サイズとを確認し、確認した画面サイズに応じて、画面サイズが大きい方の第１の表示部１６に画像情報を表示させ、画面サイズが小さい方の第２の表示部２６に文字情報を表示させるようにしている。
【００５４】
これにより、車載機器３０の第１の表示部１６と携帯型ＤＴＶビューア４０の第２の表示部２６とに対して、画像情報と文字情報とを個別に画面サイズいっぱいに大きく表示することができる。よって、画像情報と文字情報の視認性を向上させることができる。しかも、通信によって確認された画面サイズに応じて表示情報の割り当てが自動的に行われるので、ユーザが表示の割り当てのために面倒な操作を行う必要もなく、ユーザの利便性を向上させることもできる。
【００５５】
また、第２の実施形態では、車載機器３０から携帯型ＤＴＶビューア４０に対して文字データを送信して第２の表示部２６に文字情報を表示させているので、携帯型ＤＴＶビューア４０がデジタル放送受信機を備えていなくても、携帯型ＤＴＶビューア４０の第２の表示部２６にデジタル放送の文字情報を表示させることができる。
【００５６】
なお、上記第２の実施形態では、車載機器３０から携帯型ＤＴＶビューア４０に対して文字データを必ず送信する例について説明したが、これに限定されない。例えば、車載機器３０が画面サイズの問い合わせを行うときに、チューナの有無に関する問い合わせも行い、接続相手がデジタル放送受信機１１を備えた携帯型ＤＴＶビューア２０であるとき（チューナがあるとき）は第１の実施形態と同様に動作し、接続相手がデジタル放送受信機を備えない携帯型ＤＴＶビューア４０であるとき（チューナを備えていないとき）は第２の実施形態と同様に動作するようにしてもよい。
【００５７】
（第３の実施形態）
次に、本発明の第３の実施形態を図面に基づいて説明する。図９は、第３の実施形態による放送情報表示システム３００の概略構成例を示す図である。図９に示すように、第９の実施形態による放送情報表示システム３００は、第１の表示部を有する車載機器５０と、第２の表示部を有する携帯型ＤＴＶビューア６０とを備えている。車載機器５０と携帯型ＤＴＶビューア６０との間は、例えばＵＳＢ等の有線、またはBluetoothやＷｉＦｉ等の無線にて接続することが可能であり、相互に情報をやり取りすることができるようになっている。
【００５８】
図１０は、車載機器５０の内部構成例を示すブロック図である。なお、この図１０において、図２に示した符号と同一の符号を付したものは同一の機能を有するものであるので、ここでは重複する説明を省略する。図１０に示すように、第３の実施形態による車載機器５０は、デジタル放送受信機１１、アンテナ１２、制御部５３、オーディオアンプ１４、スピーカ１５、第１の表示部１６および通信部１７を備えて構成されている。デジタル放送受信機１１、制御部５３、第１の表示部１６および通信部１７は、互いに協働するように共通のシステムバス１８を介して接続されており、相互に情報の送受信が行えるようになっている。
【００５９】
図１１は、携帯型ＤＴＶビューア６０の内部構成例を示すブロック図である。なお、この図１１において、図３に示した符号と同一の符号を付したものは同一の機能を有するものであるので、ここでは重複する説明を省略する。図１１に示すように、第３の実施形態による携帯型ＤＴＶビューア６０は、デジタル放送受信機２１、アンテナ２２、制御部６３、オーディオアンプ２４、スピーカ２５、第２の表示部２６および通信部２７を備えて構成されている。デジタル放送受信機２１、制御部６３、第２の表示部２６および通信部２７は、互いに協働するように共通のシステムバス２８を介して接続されており、これによって相互に情報の送受信が行えるようになっている。
【００６０】
図１０において、車載機器５０が備える制御部５３はマイクロコンピュータ等により構成され、デジタル放送受信機１１、第１の表示部１６および通信部１７の動作を制御する。制御部５３はその機能構成として、画面サイズ保持部１３ａ、画面サイズ確認部１３ｂ、表示制御部１３ｃ、受信チャンネル確認部５３ｄおよびチャンネル制御部５３ｅを備えている。
【００６１】
受信チャンネル確認部５３ｄは、通信部１７を通じて携帯型ＤＴＶビューア６０との間で通信し、携帯型ＤＴＶビューア６０が備えているデジタル放送受信機２１のチューナ部２１ａにおいて受信しているチャンネルを確認する。チャンネル制御部５３ｅは、車載機器５０のチューナ部１１ａで受信しているチャンネルと、携帯型ＤＴＶビューア６０のチューナ部２１ａで受信しているチャンネルが同じどうかを判定し、同じでなければ、携帯型ＤＴＶビューア６０において車載機器５０と同じチャンネルを受信させることを指示するためのコマンドを、通信部１７を通じて携帯型ＤＴＶビューア６０に送信する。
【００６２】
一方、図１１において携帯型ＤＴＶビューア６０が備える制御部６３はマイクロコンピュータ等により構成され、デジタル放送受信機２１、第２の表示部２６および通信部２７の動作を制御する。制御部６３はその機能構成として、画面サイズ保持部２３ａ、画面サイズ通知部２３ｂ、表示制御部２３ｃおよびチャンネル制御部６３ｄを備えている。
【００６３】
チャンネル制御部６３ｄは、チューナ部２１ａに対して、車載機器５０のチャンネル制御部５３ｅから通信部１７を介して送られてくるコマンドにより指示されているチャンネル（車載機器５０で受信中のチャンネルと同じチャンネル）を受信するよう制御する。
【００６４】
以上のような受信チャンネルの同期制御は、例えば、図４に示すフローチャートの動作においてステップＳ３とステップＳ４との間で行う。または、ステップＳ６の処理が終わった後に受信チャンネルの同期制御を行うようにしても良い。
【００６５】
以上詳しく説明したように、第３の実施形態では、第１の実施形態で説明した構成に加えて、車載機器５０と携帯型ＤＴＶビューア６０とで受信中のチャンネルが異なっている場合に、双方で同じチャンネルを受信するようにチャンネルの同期制御を行うための構成を設けている。
【００６６】
これにより、車載機器５０の第１の表示部１６に表示される画像情報と、携帯型ＤＴＶビューア６０の第２の表示部２６に表示される文字情報とが、常に同じチャンネルから受信したものとなるようにすることができる。同じチャンネルで受信される画像情報と文字情報とは、その内容が互いに関連性を持っていることもあるので、同じチャンネルの画像情報と文字情報とを第１の表示部１６および第２の表示部２６に振り分けて表示させるのが好ましい。
【００６７】
なお、上記第３の実施形態では、車載機器５０を主とし、車載機器５０で受信中のチャンネルに携帯型ＤＴＶビューア６０の受信チャンネルを合わせる例について説明したが、この逆でも良い。
【００６８】
以上、第１〜第３の実施形態について説明したが、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【００６９】
例えば、上記第１〜第３の実施形態では、画面サイズが大きい方の第１の表示部１６に画像情報を表示させ、画面サイズが小さい方の第２の表示部２６に文字情報を表示させるようにしたが、この逆でも良い。例えば、文字情報がニュース番組の場合は、これを画面サイズが大きい第１の表示部１６で表示すると好ましいことがある。
【００７０】
そこで、例えばデジタル放送の受信信号中に付随情報として含まれている番組情報を参照し、文字情報がニュース番組であることを検出したときに、当該文字情報を第１の表示部１６に表示させ、画像情報を第２の表示部２６に表示させるようにしても良い。また、画像情報と文字情報とをどちらの表示部に表示させるかをユーザが図示しない操作部を操作して指示できるようにしても良い。
【００７１】
また、上記第１〜第３の実施形態では、車載機器１０，３０，５０が通信ホスト、携帯型ＤＴＶビューア２０，４０，６０が通信スレーブとなる例について説明したが、この逆でも良い。
【００７２】
また、上記第１〜第３の実施形態では、第１の通信機器として車載機器１０，３０，５０を用い、第２の通信機器として携帯型ＤＴＶビューア２０，４０，６０を用いる例について説明したが、これに限定されない。要は、表示部を持ち、有線または無線で他の機器と通信をすることが可能な機器であれば、第１の通信機器または第２の通信機器として用いることが可能である。ただし、少なくとも一方はデジタル放送受信機の機能を備えている必要がある。
【図面の簡単な説明】
【００７３】
【図１】第１の実施形態による放送情報表示システムの概略構成例を示す図である。
【図２】第１の実施形態による車載機器の内部構成例を示すブロック図である。
【図３】第１の実施形態による携帯型ＤＴＶビューアの内部構成例を示すブロック図である。
【図４】第１の実施形態による放送情報表示システムの動作例を示すフローチャートである。
【図５】第２の実施形態による放送情報表示システムの概略構成例を示す図である。
【図６】第２の実施形態による車載機器の内部構成例を示すブロック図である。
【図７】第２の実施形態による携帯型ＤＴＶビューアの内部構成例を示すブロック図である。
【図８】第２の実施形態による放送情報表示システムの動作例を示すフローチャートである。
【図９】第３の実施形態による放送情報表示システムの概略構成例を示す図である。
【図１０】第３の実施形態による車載機器の内部構成例を示すブロック図である。
【図１１】第３の実施形態による携帯型ＤＴＶビューアの内部構成例を示すブロック図である。
【符号の説明】
【００７４】
１０，３０，５０  車載機器（第１の通信機器）
２０，４０，６０  携帯型ＤＴＶビューア（第２の通信機器）
１１，２１  デジタル放送受信機
１３，２３，３３，４３，５３，６３  制御部
１３ｂ  画面サイズ確認部
１３ｃ，２３ｃ，３３ｃ，４３ｃ  表示制御部
１６  第１の表示部
１７，２７  通信部
２３ｂ  画面サイズ通知部
２６  第２の表示部
５３ｄ  受信チャンネル確認部
５３ｅ，６３ｄ  チャンネル制御部
【図１】
2008099029.tif 000003
【図２】
2008099029.tif 000004
【図３】
2008099029.tif 000005
【図４】
2008099029.tif 000006
【図５】
2008099029.tif 000007
【図６】
2008099029.tif 000008
【図７】
2008099029.tif 000009
【図８】
2008099029.tif 000010
【図９】
2008099029.tif 000011
【図１０】
2008099029.tif 000012
【図１１】
2008099029.tif 000013